(57)【要約】【課題】  小蓋の開閉動作を上蓋の開閉動作に連動させて、小蓋に手指を全く触れないで、筒状注出口の開閉を行える開閉自在の小蓋を有するヒンジキャップを提供する。【解決手段】  容器２の口部３に装着する上面壁４と側壁５とを有するキャップ本体６と、天面壁７とスカート壁８とを有し、このスカート壁８がキャップ本体６と外ヒンジ９を介して連結された上蓋１０とからなり、キャップ本体６の上面壁４には外ヒンジ９と反対側且つ上方斜め横方向に延びる筒状注出口１１が形成され、この筒状注出口１１上部先端には筒状注出口１１を開閉する小蓋１２が内ヒンジ１３を介して連結され、外ヒンジ９と反対側の上蓋１０のスカート壁８には、このスカート壁８から内方に延びる小蓋開閉突出片１４が形成され、筒状注出口１１の小蓋１２の開閉が、上蓋１０の開閉作動に伴う小蓋開閉突出片１４の移動に連動するようにしたことにより、上記の課題を達成できる。【選択図】  図１
2007069969.tif 000002
【特許請求の範囲】
【請求項１】
容器の口部に装着する上面壁と側壁を有するキャップ本体と、天面壁とスカート壁を有
し、該スカート壁が該キャップ本体と外ヒンジを介して連結された上蓋とからなるヒンジ
キャップであって、該キャップ本体上面壁には外ヒンジと反対側且つ上方斜め横方向また
は水平方向に延びる筒状注出口が形成されており、該注出口上部先端には注出口を開閉す
る小蓋が内ヒンジを介して連結されており、該外ヒンジと反対側の該上蓋の該スカート壁
には、該スカート壁から内方に延びる小蓋開閉突出片が形成されており、該注出口の小蓋
の開閉が、該上蓋の開閉作動に伴う突出片の移動に連動するようにしたことを特徴とする
開閉自在の小蓋を有するヒンジキャップ。
【請求項２】
前記上蓋のスカート壁は、上方スカート壁と該上方スカート壁の下端から外方に延びる
連結壁と、該連結壁の外周縁から下方に延びる下方スカート壁からなり、前記突出片は下
方スカート壁に形成されており、該上方スカート壁の内面は、上蓋閉蓋時に前記小蓋に当
接し、該上方スカート壁内面は、前記小蓋の外面と平行な傾斜面に形成されている請求項
１記載の開閉自在の小蓋を有するヒンジキャップ。
【請求項３】
前記上蓋の天面壁には、上蓋閉蓋時に小蓋の外面と当接する小蓋当接片が該天面壁から
垂下して設けられ、該小蓋当接片の内面が前記小蓋の外面と平行な傾斜面となっている請
求項１記載の開閉自在の小蓋を有するヒンジキャップ。
【請求項４】
前記小蓋の内ヒンジと反対側には鍔部が形成されており、該鍔部先端は外側から内方且
つ上方に向かって延びている請求項１ないし３のいずれか１項に記載の開閉自在の小蓋を
有するヒンジキャップ。
【発明の詳細な説明】
【技術分野】
【０００１】
本発明は、食用油、液状あるいは半液状の飲料や調味料などを収容する容器に装着する
ヒンジキャップに関するものであり、より詳しくは、キャップ本体と、このキャップ本体
に外ヒンジを介して開閉自在に連結した上蓋とを備え、この上蓋内に、キャップ本体に設
けた筒状注出口に内ヒンジを介して着脱する小蓋を有してなるヒンジキャップであって、
筒状注出口の小蓋の開閉を上蓋の開閉動作に連動するようにした開閉自在の小蓋を有する
ヒンジキャップに関する。
【背景技術】
【０００２】
容器の口部に装着しキャップ本体にヒンジを介して連結してなる上蓋を有するヒンジキ
ャップは、上蓋の開閉がワンタッチで行うことが出来、上蓋が落下して汚れたり紛失した
りする虞がないため、食用油や調味料などのように頻繁に利用するものを収容する容器に
好んで使用されている。
このようなヒンジキャップの一般的な形状として、下記のものが知られている。
【０００３】
【特許文献１】特公平３−５３１８２号公報
【特許文献２】特公平７−５９４２８号公報
【特許文献３】意匠登録第７２４５２２号公報
【特許文献４】特願２００３−８６７６１
【０００４】
特許文献１のヒンジキャップａは、図７に示すように、容器ｂの口部ｃに装着するキャ
ップ本体ｄに、これを開閉する上蓋ｅをヒンジｆにて連結し、キャップ本体ｄの天板に注
出口ｇを備えると共に、この注出口ｇを開閉栓するリング壁ｈを上蓋ｅの天板に備えてい
る。
【０００５】
特許文献２は本出願人の出願に係るものであり、このヒンジキャップａ１は、図８に示
すように、キャップ本体ｄの天板部に横方向に延びた筒状注出口ｉを備えてあるために、
容器ｂを押圧して内容物を筒状注出口ｉから押し出した後、押圧をやめると容器ｂの復元
力により筒状注出口ｉ内に残留している内容物が容器ｂ内に戻り、筒状注出口ｉ周辺に内
容物が垂れることがない。さらに、この筒状注出口ｉを塞ぐ突起ｊを上蓋ｅに設けてある
から、キャップ本体ｄに上蓋ｅを被着すると、筒状注出口ｉに突起ｊが当接して塞ぐこと
が出来るようになっている。
【０００６】
特許文献３は、本出願人の意匠登録出願にかかるものであり、図９に示すように、この
ヒンジキャップａ２は、特許文献２で述べた筒状注出口ｉに別ピースの小蓋ｋを嵌めるよ
うにしたものである。
【０００７】
さらに、特許文献４も本出願人の出願に係るものであり、このヒンジキャップａ３は、
図１０に示すように、筒状注出口ｉに装着する小蓋ｋをヒンジを支点として開閉出来、さ
らに、この小蓋ｋの閉栓は、上蓋ｅの閉蓋動作に連動させているから、小蓋ｋの閉栓は手
指を用いることなく、上蓋ｅの閉蓋動作に伴ってなされる。
【発明の開示】
【発明が解決しようとする課題】
【０００８】
ところが、上記特許文献１記載のヒンジキャップａは、容器ｂの内容物が比較的粘度の
低いものに適しているが、粘度が高く容器ｂを押圧して内容物を注出口ｇから出すような
場合には、容器ｂの内容物を注出口ｇから押し出した後の液切れが悪く、注出口ｇ周辺に
垂れてしまい、注出口ｇ周辺を汚してしまう虞があることや、キャップ本体ｄに上蓋ｅを
被せても、注出口ｇとリング壁ｈとの間に内容物が介在して完全な閉栓が出来なかったり
、さらに、注出口ｇとリング壁ｈとが内容物により粘着して、スムーズな開栓を妨げる難
点がある。
【０００９】
また、上記特許文献２記載のヒンジキャップａ１は、筒状注出口ｉに突起ｊを当接させ
て塞ぐだけであるため、次第に筒状注出口ｉの閉栓性が不十分となる虞があり、特許文献
３記載のヒンジキャップａ２は、筒状注出口ｉに別ピースの小蓋ｋを嵌めるようになって
いるから、使用に際し小蓋ｋを落とし汚染させたり紛失する虞があり、取扱上の不便さが
ある。
【００１０】
さらに、本出願人の先願発明にかかる特許文献４記載のヒンジキャップａ３は、筒状注
出口ｉに対する小蓋ｋによる閉栓を上蓋ｅの閉蓋動作に連動させて行うという便利さがあ
るが、小蓋ｋによる開栓は手指にて行わなければならないと言う不便さがある。
【００１１】
そこで、本発明の目的は、上記先願発明における小蓋の開閉動作のすべてを、上蓋の開
閉動作に連動させて行うことにより、小蓋に手指を全く触れることなく、注出口に対し小
蓋による開閉を行えるようにした開閉自在の小蓋を有するヒンジキャップを提供すること
にある。
【課題を解決するための手段】
【００１２】
本発明は、上記目的を達成するために提案されたものであって、下記の構成からなるこ
とを特徴とするものである。
すなわち、本発明によれば、容器の口部に装着する上面壁と側壁を有するキャップ本体
と、天面壁とスカート壁を有し、該スカート壁が該キャップ本体と外ヒンジを介して連結
された上蓋とからなるヒンジキャップであって、該キャップ本体上面壁には外ヒンジと反
対側且つ上方斜め横方向または水平方向に延びる筒状注出口が形成されており、該注出口
上部先端には注出口を開閉する小蓋が内ヒンジを介して連結されており、該外ヒンジと反
対側の該上蓋の該スカート壁には、該スカート壁から内方に延びる小蓋開閉突出片が形成
されており、該注出口の小蓋の開閉が、該上蓋の開閉作動に伴う突出片の移動に連動する
ようにしたことを特徴とする開閉自在の小蓋を有するヒンジキャップが提供される。
【００１３】
また、本発明によれば、前記上蓋のスカート壁は、上方スカート壁と該上方スカート壁
の下端から外方に延びる連結壁と、該連結壁の外周縁から下方に延びる下方スカート壁か
らなり、前記突出片は下方スカート壁に形成されており、該上方スカート壁の内面は、上
蓋閉蓋時に前記小蓋に当接し、該上方スカート壁内面は、前記小蓋の外面と平行な傾斜面
に形成されている開閉自在の小蓋を有するヒンジキャップが提供される。
【００１４】
また、本発明によれば、前記上蓋の天面壁には、上蓋閉蓋時に小蓋の外面と当接する小
蓋当接片が該天面壁から垂下して設けられ、該小蓋当接片の内面が前記小蓋の外面と平行
な傾斜面となっている開閉自在の小蓋を有するヒンジキャップが提供される。
【００１５】
また、本発明によれば、前記小蓋の内ヒンジと反対側には鍔部が形成されており、該鍔
部先端は外側から内方且つ上方に傾斜面が形成されており、該傾斜面は上方から前記小蓋
の内方に向かって延びている開閉自在の小蓋を有するヒンジキャップが提供される。
【発明の効果】
【００１６】
本発明のヒンジキャップは、キャップ本体から上蓋を開けると、上蓋のスカート壁の小
蓋開閉突出片も上蓋に連動して動き、筒状注出口を閉栓中の小蓋に当たり小蓋を開けて開
栓し、逆に、上蓋を閉じると、上蓋のスカート壁の小蓋開閉突出片も上蓋に連動して動き
、筒状注出口を開栓中の小蓋に当接して小蓋を閉じて閉栓する。したがって、小蓋の開閉
栓動作のすべてを、手指の使用を全く必要としない利点があり、使用者の手指に内容物が
付着して手指を汚したり、逆に手指により筒状注出口を汚すこともないから、双方の清潔
さを求める容器のキャップとして最適である。
【００１７】
また、本発明のヒンジキャップは、キャップ本体を上蓋により閉じていると、上蓋の上
方スカート壁の内面が筒状注出口を閉栓中の小蓋に当たり押さえ付けるようにされている
ことにより、小蓋が不意に開き筒状注出口を開栓してしまい、容器の内容物が漏れること
がない。また、上蓋の上方スカート壁の内面が直接小蓋に当接しなくとも、上蓋の天面壁
に小蓋当接片を設けても、上記同様の効果が得られる。
【００１８】
また、本発明のヒンジキャップは、キャップ本体から上蓋を開けると、小蓋開閉突出片
が、まず筒状注出口を閉栓中の小蓋の鍔部に当たり小蓋を開け、次いで鍔部の傾斜面と係
止して開栓するようにすることができる。このようにすれば、小蓋開閉突出片と小蓋の鍔
部及びその傾斜面と相俟って、小蓋による筒状注出口の開閉栓を一層スムーズにすること
が出来る。
【発明を実施するための最良の形態】
【００１９】
以下に、図面を参照して本発明を実施するための最良の形態を説明する。
【００２０】
＜実施例１＞
図１は本発明の実施の形態を示すヒンジキャップを容器の口部に装着した状態の断面図
、図２は上蓋を開放した状態の断面図、図３は上蓋を開放した状態の平面図である。これ
らの図面において、開閉自在の小蓋を有するヒンジキャップ（以下、単にヒンジキャップ
という）１は、容器２の口部３に装着する上面壁４及び側壁５を有するキャップ本体６と
、天面壁７及びスカート壁８を有しこのスカート壁８がキャップ本体６と外ヒンジ９を介
して連結された上蓋１０と、からなるものであって、キャップ本体６の上面壁４には外ヒ
ンジ９と反対側且つ上方斜め横方向に延びる筒状注出口１１が形成されており、この筒状
注出口１１上部先端には筒状注出口１１を開閉する小蓋１２が内ヒンジ１３を介して連結
されており、前記外ヒンジ９と反対側の上蓋１０のスカート壁８には、このスカート壁８
から内方に延びる小蓋開閉突出片１４が形成されており、前記筒状注出口１１の小蓋１２
の開閉栓が、前記上蓋１０の開閉蓋作動に伴う上記小蓋開閉突出片１４の移動に連動する
ようにしたものである。
【００２１】
前記容器２としては、その口部３にヒンジキャップ１を装着出来るものであれば良く、
スクイズタイプのものが好ましく用いられる。容器２の口部３へのヒンジキャップ１の装
着は、図１に示すように、キャップ本体６の側壁５とこの側壁５の内側に形成した環状内
壁５ａとで、容器口部３を上方から挟み込む形で嵌着する形態が一般的であり、それ以外
にも、容器口部３の外周面に雄螺条を形成し、キャップ本体６の側壁５の内周面に上記し
た雄螺条に対応する雌螺条を形成して、両者を螺着しても良い（図示せず）。
【００２２】
前記キャップ本体６は、その上面壁４に外方に凸の盛上がり部４ａが形成され、その盛
上がり部４ａの側部に上記した筒状注出口１１が形成されている。そして、盛上がり部４
ａの回りの上面壁４は凹み、筒状注出口１１からの内容物の垂れがあっても、その外周壁
４ｂから直ちに出ないようにして、使用者の手指や容器２の回りを汚さないようにしてい
る。
【００２３】
本発明の小蓋１２は、前記キャップ本体６の筒状注出口１１に、内ヒンジ１３を介して
開閉自在に連結していることにより、落下して汚染したり紛失する事態を未然に回避出来
るため、一般家庭での使用はもとより、使用頻度の高い業務用としても、その取扱性に優
れたものになっている。そして、この小蓋１２には、筒状注出口１１内周に嵌入する環状
内壁１２ａが設けられ、これら筒状注出口１１内周と環状内壁１２ａの外周との摺接によ
り、良好な閉栓状態を保持することが出来る。また、この小蓋１２の内ヒンジ１３の反対
側には鍔部１５が形成され、この鍔部１５の先端は外側から内方且つ上方に延びる傾斜面
１５ａとなっている。一方、上蓋１０の後述する下方スカート壁２２内面には、可撓性を
有する小蓋開閉突出片１４が設けられている。
【００２４】
これら小蓋１２の鍔部１５及び小蓋開閉突出片１４は、上蓋１０の開蓋操作の際、互い
に係合する位置に配設され、上蓋１０の開蓋操作に伴い小蓋１２の開栓も行われ、小蓋１
２が完全に開栓した状態では、鍔部１５と小蓋開閉突出片１４との係合状態が解除される
ものである。
【００２５】
すなわち、キャップ本体６から上蓋１０を開けると、小蓋開閉突出片１４がまず筒状注
出口１１を閉栓している小蓋１２の鍔部１５に当たり小蓋１２を開け始める。すなわち、小蓋開閉突出片１４が鍔部１５の傾斜面１５ａと係止して、完全に開栓するものである。  したがって、小蓋開閉突出片１４のみによる働きで、小蓋１２の開閉栓を可能とし、加えて、これら小蓋開閉突出片１４と小蓋１２の鍔部１５及びその傾斜面１５ａとが相俟って、小蓋１２による筒状注出口１１の開閉栓をよりスムーズにすることが出来るものである。
【００２６】
なお、小蓋開閉突出片１４は、図４の（ｅ）、（ｆ）及び図５の（ｋ）、（ｌ）から判
るように、小蓋１２の開閉栓操作に伴い若干撓むことが必要であり、適度の弾性を有して
いることが好ましい。また、小蓋開閉突出片１４の大きさは、少なくとも小蓋１２の開閉
栓操作を主導出来る程度の幅と長さがあることが必要である。
【００２７】
前記上蓋１０は、既述の通り、キャップ本体６に外ヒンジ９を介して連結され、この上
蓋１０は天面壁７とスカート壁８とからなり、このスカート壁８は、上方スカート壁２０
と、この上方スカート壁２０の下端から外方に延びる連結壁２１と、この連結壁２１の外
周縁から下方に延びる下方スカート壁２２とからなる。前記小蓋開閉突出片１４は、下方
スカート壁２２に形成されており、さらに上方スカート壁２０の内面２０ａは、上蓋１０
の閉蓋時に前記小蓋１２に当接し、この上方スカート壁内面２０ａは、小蓋１２の外面と
平行な傾斜面に形成されている。したがって、キャップ本体６を上蓋１０により閉じてい
ると、上蓋１０の上方スカート壁内面２０ａが筒状注出口１１を閉栓中の小蓋１２に当た
り押さえ付ける。このため、小蓋１２が不如意に開き筒状注出口１１を開栓して、容器２
の内容物が漏れることがない。なお、図１ないし３において１６で示した部分は上蓋１０
の開閉操作を容易にする鍔である。
【００２８】
前記外ヒンジ９は、キャップ本体６と上蓋１０と開閉自在に連結し、キャップ本体６か
ら上蓋１０を開蓋した後、内容物を注出するため容器２を傾ける際、上蓋１０が閉蓋方向
に旋回して筒状注出口１１を塞ぎ、内容物の注出を妨げないように、公知のスプリング性
を有するスナップヒンジなどが採用される。
また、本発明のヒンジキャップ１の材質は、適度の剛性と弾性とを併せ持つことが好ま
しく、通常ポリエチレンやポリプロピレンなどが好ましく用いられる。
【００２９】
また、開栓工程において、上蓋１０の開蓋と小蓋１２の開栓とが連動してなされるため
には、上蓋１０内の小蓋開閉突出片１４の内面側が小蓋１２の鍔部１５の下方にあって、
上蓋１０の開蓋に伴い円弧状に移動する際、小蓋１２の鍔部１５を当接するような係合位
置関係になければならない。
また、閉栓工程において、上蓋１０の閉蓋と小蓋１２の閉栓とが連動してなされるため
には、上蓋１０内の小蓋開閉突出片１４の外面側が小蓋１２の鍔部１５の外側に当接し、
且つ上蓋１０の閉蓋に伴い円弧状に移動する際、小蓋１２が内ヒンジ１３を支点にして筒
状注出口１１側に回転移動出来るような位置関係になければならない。
【００３０】
上記の開閉栓操作がスムーズになされるためには、内ヒンジ１３は筒状注出口１１と小
蓋１２とにそれぞれ連結して一体成形され、小蓋１２の開閉栓がスナップ動作を伴って作
動し、開栓時に小蓋１２が軸線方向以上に開いた状態で保持しているものが好ましく、具
体的には、例えば、特公昭６３−１７７１７号公報または特公平３−５３１８２号公報に
記載されているスナップタイプあるいはフラップタイプと呼ばれているヒンジが好ましく
用いれる。
【００３１】
図４、５を参照して、上記構成になるヒンジキャップ１における小蓋１２の開閉栓が、
上蓋１０の開閉蓋に連動してなされる状況を説明する。
図４は開栓工程の説明図、図５は閉栓工程の説明図であり、図４、５中の符合は図１な
いし３と同様であるが、上蓋１０の開蓋と小蓋１２の開栓との連動状態を理解するための
図面であることに鑑み、煩雑さを避けるため、図４、５に符合の記入を省略した。
【００３２】
まず、図４により開栓工程を説明する。
図４の（ａ）は上蓋１０、小蓋１２共に閉じた状態を示し、上蓋１０の小蓋開閉突出片
１４は、小蓋１２の鍔部１５の下方にあり、且つ上蓋１０の開蓋に伴い円弧状に移動する
際小蓋１２の鍔部１５を当接するように位置している。なおかつ、上蓋１０の上方スカー
ト壁内面２０ａが筒状注出口１１を閉栓中の小蓋１２に当たり押さえ付け、不如意に小蓋
１２が開き容器２の内容物が漏れることがないようにしている。
【００３３】
図４の（ｂ）は上蓋１０の開蓋開始状態を示し、小蓋開閉突出片１４が小蓋１２の鍔部
１５に当接している。さらに上蓋１０の開蓋を進めると、図４の（ｃ）に示すように、小
蓋開閉突出片１４が小蓋１２の鍔部１５を当接して小蓋１２の開栓を開始し、小蓋開閉突
出片１４が鍔部１５の傾斜面１５ａと係止する。上蓋１０の開蓋操作をさらに進めると、
小蓋１２は小蓋開閉突出片１４の作用により内ヒンジ１３を支点にして開栓状態が進んで
、図４の（ｄ）から図４の（ｅ）、（ｆ）に進んだところで、小蓋１２が完全に開栓する
ことになる。さらに上蓋１０の開蓋を進めて、図４の（ｇ）に示すように、小蓋開閉突出
片１４が小蓋１２上を完全に乗り越え、これらの当接状態が完全に解除される。
【００３４】
次に、図５により閉栓工程を説明する。
図５（ｈ）は図４の（ｇ）の状態から上蓋１０の閉蓋を開始して、小蓋開閉突出片１４
が小蓋１２の鍔部１５に当接している状態を示している。さらに上蓋１０の閉蓋を進める
と、小蓋１２は図５（ｉ）、（ｊ）、（ｋ）に示すように、小蓋開閉突出片１４の作用に
より、内ヒンジ１３を支点にして閉栓状態が順次進行して行く。そして、図５の（Ｌ）に
おいて、小蓋１２の閉栓が達成され、且つ小蓋開閉突出片１４が変形して小蓋１２を乗り
越える状態を示している。図５の（ｍ）で小蓋開閉突出片１４及び小蓋１２の当接状態を
完全に解消し、且つ上蓋１０の閉蓋も完全に終了して、図４の（ａ）と同じ状態となり、
したがって、上蓋１０の上方スカート壁内面２０ａが小蓋１２を押さえ付け、容器２の内
容物が漏れることがない。
【００３５】
＜実施例２＞
図６は本発明の他の実施の形態を示すヒンジキャップを容器の口部に装着した状態の断
面図である。実施例１では上蓋１０の閉蓋状態で上蓋１０の上方スカート壁内面２０ａが
閉栓中の小蓋１２を押さえつけ、容器２の内容物を漏れないようにしている。しかし、こ
のヒンジキャップ１ａでは、上蓋１０ａの天面壁７ａに、上蓋１０ａの閉蓋時に小蓋１２
の外面と当接する小蓋当接片２３が天面壁７ａから垂下して設けられ、この小蓋当接片２
３の内面を小蓋１２の外面と平行な傾斜面にして、上蓋１０の閉蓋状態で小蓋当接片２３
が閉栓中の小蓋１２を押さえ付け、容器２の内容物を漏れないようにしている。したがっ
て、ヒンジキャップ１ａの上蓋１０ａには、前記上方スカート壁２０、前記連結壁２１、
前記下方スカート壁２２がなく、天面壁７ａとスカート壁８ａとがあるのみであり、その
他の構成、作用は実施例１とほぼ同様なので、図に符号を付してその説明を省略する。
【００３６】
以上、本発明の実施例１、２を説明したが、筒状注出口１１は、水平方向に形成されて
いてもよく、具体的な構成はこれに限定されず、本発明の要旨を逸脱しない範囲での変更
は適宜可能であることは理解されるべきである。
【産業上の利用可能性】
【００３７】
本発明のヒンジキャップは、キャップ本体にある内容物の注出口に付設している小蓋の
開閉栓が、上蓋の開閉蓋動作に連動して行われるため、手指による作業を全く必要としな
いメリットがあり、一般家庭での使用はもとより、調味料等の内容物を頻繁に使用する食
品加工業者、レストラン、食堂などの使用形態において極めて高い利用価値がある。
【図面の簡単な説明】
【００３８】
【図１】本発明の実施例１の実施の形態を示すヒンジキャップを容器の口部に装着した状態の断面図である。
【図２】実施例１の形態において上蓋を開放した状態の断面図である。
【図３】同じく上蓋を開放した状態の平面図である。
【図４】実施例１の形態におけるヒンジキャップの開栓工程における上蓋と小蓋との連動状態を示す説明図である。
【図５】図４の形態におけるヒンジキャップの閉栓工程における上蓋と小蓋との連動状態を示す説明図である。
【図６】本発明の実施例２の実施の形態を示すヒンジキャップを容器の口部に装着した状態の断面図である。
【図７】特許文献１に示された従来例を示す断面図である。
【図８】特許文献２に示された従来例を示す断面図である。
【図９】特許文献３に示された従来例を示す断面図である。
【図１０】特許文献４に示された従来例を示す断面図である。
【符号の説明】
【００３９】
１，１ａ，ａ，ａ１        開閉自在の小蓋を有するヒンジキャップ
ａ２，ａ３                
２，ｂ                    容器
３，ｃ                    口部
４                        上面壁
４ａ                      盛上がり部
４ｂ                      外周壁
５                        側壁
５ａ                      環状内壁
６，ｄ                    キャップ本体
７，７ａ                  天面壁
８，８ａ                  スカート壁
９                      外ヒンジ
１０，１０ａ，ｅ          上蓋
１１，ｉ                  筒状注出口
１２，ｋ                  小蓋
１２ａ                    環状内壁
１３                      内ヒンジ
１４                      小蓋開閉突出片
１５                      鍔部
１５ａ                    傾斜面
１６                      鍔
２０                      上方スカート壁
２０ａ                    内面
２１                      連結壁
２２                      下方スカート壁
２３                      小蓋当接片
ｆ                        ヒンジ
ｇ                        注出口
ｈ                        リング壁
ｊ                        突起
【図１】
2007069969.tif 000003
【図２】
2007069969.tif 000004
【図３】
2007069969.tif 000005
【図４】
2007069969.tif 000006
【図５】
2007069969.tif 000007
【図６】
2007069969.tif 000008
【図７】
2007069969.tif 000009
【図８】
2007069969.tif 000010
【図９】
2007069969.tif 000011
【図１０】
2007069969.tif 000012